(57)【要約】【課題】シャーシシステム或いはスライドレールアセンブリに応用可能なケーブルマネージメントデバイスを提供する。【解決手段】スライドレールアセンブリに用いるケーブルマネージメントデバイス４２は第一トレイ４４、第二トレイ４６、及び、ケーブルマネージメントチェイン４８、５０を有する。第二トレイ４６は第一トレイ４４に対して移動し、取込み状態或いは延伸状態になることが可能なように接続される。ケーブルマネージメントチェイン４８、５０は第一トレイ４４に接続する。【選択図】図２
2018038246.tif 000002
【特許請求の範囲】
【請求項１】
スライドレールアセンブリに用いるケーブルマネージメントデバイスであって、第一トレイ、第二トレイ、及び、第一ケーブルマネージメントチェインを有し、
前記第二トレイは、前記第一トレイに対して伸縮するように接続され、前記第二トレイと前記第一トレイとは相互に移動し、取込み状態或いは延伸状態になることが可能であり、
前記第一ケーブルマネージメントチェインは、前記第一トレイに接続されることを特徴とするケーブルマネージメントデバイス。
【請求項２】
前記前記第二トレイが、前記取込み状態から前記延伸状態へと移動すると、前記第二トレイは、前記第一ケーブルマネージメントチェインを支えることを特徴とする請求項１に記載のケーブルマネージメントデバイス。
【請求項３】
前記ケーブルマネージメントデバイスは、第二ケーブルマネージメントチェインを有し、
前記第二ケーブルマネージメントチェインは、前記第一トレイに接続されることを特徴とする請求項１に記載のケーブルマネージメントデバイス。
【請求項４】
前記第二トレイが、前記取込み状態から前記延伸状態へと移動すると、前記第二トレイは、前記第一ケーブルマネージメントチェインと前記第二ケーブルマネージメントチェインとの内の一つを支えることを特徴とする請求項３に記載のケーブルマネージメントデバイス。
【請求項５】
前記ケーブルマネージメントデバイスは、前記第一トレイに位置するパーティションをさらに有し、
前記パーティションは、前記第一ケーブルマネージメントチェインと前記第二ケーブルマネージメントチェインとを隔てることを特徴とする請求項３に記載のケーブルマネージメントデバイス。
【請求項６】
前記第一ケーブルマネージメントチェインは、相互に可動可能なように接続された複数のケーブルマネージメントユニットを有することを特徴とする請求項１に記載のケーブルマネージメントデバイス。
【請求項７】
前記複数のケーブルマネージメントユニットは、相互に枢接されることを特徴とする請求項６に記載のケーブルマネージメントデバイス。
【請求項８】
前記第一ケーブルマネージメントチェインは、取り外し可能なように前記第一トレイに接続されることを特徴とする請求項１に記載のケーブルマネージメントデバイス。
【請求項９】
ケーブルマネージメントデバイスは、スライドレールアセンブリに適用され、前記スライドレールアセンブリは、第一レール、及び、前記第一レールに相対して移動する第二レールを有し、
前記ケーブルマネージメントデバイスは、第一トレイ、及び、第一ケーブルマネージメントチェインを有し、
前記第一トレイは、前記第一レールに取り付けられ、
前記第一ケーブルマネージメントチェインは、前記第一トレイに接続され、前記第一レールに相対した前記第二レールの移動に対応して連動することを特徴とするケーブルマネージメントデバイス。
【請求項１０】
ケーブルマネージメントデバイスは、シャーシシステムに適用され、前記シャーシシステムは、搭載物をシャーシに取り付け可能なスライドレールアセンブリを有し、
前記スライドレールアセンブリは、第一レール、及び、前記第一レールに相対して移動する第二レールを有し、
前記第一レールは、前記シャーシに取り付けられ、前記第二レールには、前記搭載物が取り付けられ、
前記ケーブルマネージメントデバイスは、第一トレイ、及び、第一ケーブルマネージメントチェインを有し、
前記第一トレイは、前記第一レールと前記シャーシとの内の一つに取り付けられ、
前記第一ケーブルマネージメントチェインは、前記第一トレイに接続され、前記第一レールに相対した前記第二レールの移動に対応し連動して移動することを特徴とするケーブルマネージメントデバイス。
【発明の詳細な説明】
【技術分野】
【０００１】
本発明は、ケーブルマネージメントデバイスに関する。
【背景技術】
【０００２】
一般的に、電子設備は通常ケーブル（ｃａｂｌｅｓ）を有する。
ケーブルを整理するため、一種のケーブルマネージメントデバイス或いはケーブルマネージメントアセンブリが開発された。
【０００３】
特許文献１に開示するヒンジ接合式ケーブルチェインアセンブリは、ヒンジ接合式ケーブルチェイン１０２を有する。
ヒンジ接合式ケーブルチェイン１０２は、板バネを有し、第一取込み曲面を提供し、これによりケーブルチェイン１０２を緊密な半径範囲に保持する。
一旦、第一取込み曲面１２２が適当に起動されると、ケーブルチェイン１０２の他の取込み曲面は、適当な位置において折り合わされる。
【０００４】
特許文献２に開示するケーブルチェイン回帰システム１００は、バネ１７０を有する。
バネ１７０により、ケーブルチェイン１１０の折り畳みと整理を助ける。
なお、他の従来技術が特許文献３と４とに開示されている。
【０００５】
これらから分かるように、上述の従来技術によると、ケーブルチェインに線材を置くことができる。
【先行技術文献】
【特許文献】
【０００６】
【特許文献１】米国特許第ＵＳ７５５２５８１Ｂ１号明細書
【特許文献２】米国特許第ＵＳ７９８４６０５Ｂ２号明細書
【特許文献３】米国特許第ＵＳ９３７０１２１Ｂ２号明細書
【特許文献４】米国特許第ＵＳ９４８０１８２Ｂ２号明細書
【発明の概要】
【発明が解決しようとする課題】
【０００７】
応用環境の違いに応じて、様々なケーブルチェインの関連製品を開発し、市場の特定のニーズにいかにして応えるかは、業界の検討及び努力目標の一つである。
しかし、上記先行技術では、応用環境の違いに応じた市場の特定のニーズに応えられていないという欠点がある。
【課題を解決するための手段】
【０００８】
本発明の目的は、シャーシシステム或いはスライドレールアセンブリに応用可能なケーブルマネージメントデバイスを提供することにある。
【０００９】
本発明の第一の態様によるスライドレールアセンブリに用いるケーブルマネージメントデバイスは、第一トレイ、第二トレイ、及び、第一ケーブルマネージメントチェインを有する。
第二トレイは、第一トレイに対して伸縮するように接続され、第二トレイと第一トレイとは相互に移動し、取込み状態或いは延伸状態になることが可能である。
第一ケーブルマネージメントチェインは、第一トレイに接続される。
【００１０】
好ましくは、第二トレイが取込み状態から延伸状態へと移動すると、第二トレイは、第一ケーブルマネージメントチェインを支えることができる。
【００１１】
好ましくは、ケーブルマネージメントデバイスは、第二ケーブルマネージメントチェインを有し、第二ケーブルマネージメントチェインは、第一トレイに接続される。
【００１２】
好ましくは、第一トレイに相対した第二トレイが取込み状態から延伸状態へと移動すると、第二トレイは、第一ケーブルマネージメントチェインと第二ケーブルマネージメントチェインとの内の一つを支えることができる。
【００１３】
好ましくは、ケーブルマネージメントデバイスは、第一トレイに位置するパーティションをさらに有し、パーティションは、第一ケーブルマネージメントチェインと第二ケーブルマネージメントチェインとを隔てる。
【００１４】
好ましくは、第一ケーブルマネージメントチェインは、相互に可動可能なように接続された複数のケーブルマネージメントユニットを有する。
【００１５】
好ましくは、複数のケーブルマネージメントユニットは、相互に枢接される。
【００１６】
好ましくは、第一ケーブルマネージメントチェインは、取り外し可能なように第一トレイに接続される。
【００１７】
本発明の第二の態様によるケーブルマネージメントデバイスは、スライドレールアセンブリに適用される。
スライドレールアセンブリは、第一レール、及び、第一レールに相対して移動する第二レールを有する。
ケーブルマネージメントデバイスは、第一トレイ、及び、第一ケーブルマネージメントチェインを有する。
第一トレイは、第一レールに取り付けられる。
第一ケーブルマネージメントチェインは、第一トレイに接続され、第一レールに相対した第二レールの移動に対応して連動する。
【００１８】
本発明の第三の態様によるケーブルマネージメントデバイスは、シャーシシステムに適用される。
シャーシシステムは、搭載物をシャーシに取り付け可能なスライドレールアセンブリを有する。
スライドレールアセンブリは、第一レール、及び、第一レールに相対して移動する第二レールを有する。
第一レールは、シャーシに取り付けられる。
第二レールには、搭載物を取り付ける。
ケーブルマネージメントデバイスは、第一トレイ、及び、第一ケーブルマネージメントチェインを有する。
第一トレイは、第一レールとシャーシとの内の一つに取り付けられる。
第一ケーブルマネージメントチェインは、第一トレイに接続される。
第一ケーブルマネージメントチェインは、第一レールに相対した第二レールの移動に対応し連動して移動する。
【図面の簡単な説明】
【００１９】
【図１】第一実施形態によるシャーシシステムの立体模式図である。
【図２】第一実施形態によるシャーシシステムのスライドレールアセンブリ、搭載物、及び、ケーブルマネージメントデバイスの分解模式図である。
【図３】第一実施形態によるケーブルマネージメントデバイスと搭載物の組合せ模式図である。
【図４】図２のＢ区域の拡大模式図であり、第二補助パーツが第一嵌着部材を有する様子を示す。
【図５】図２のＡ区域の拡大模式図であり、搭載物が第二嵌着部材を有する様子を示す。
【図６】図３のＡ区域の拡大模式図であり、第一嵌着部材と第二嵌着部材とが相互に嵌着する様子を示す。
【図７】第一実施形態のシャーシシステムのスライドレールアセンブリが取込み状態にある様子を示す模式図である。
【図８】図７のスライドレールアセンブリの第二レールが第一レールに相対して一方向へと移動し、ケーブルマネージメントデバイスの第一、第二ケーブルマネージメントチェインが連動する様子を示す模式図である。
【図９】図８のスライドレールアセンブリの第二レールが継続して第一レールに相対して方向へと移動し、ケーブルマネージメントデバイスの第一、第二ケーブルマネージメントチェインがさらに連動する様子を示す模式図である。
【図１０】第一実施形態のケーブルマネージメントデバイスの第二トレイが第一トレイに対して延伸状態にあり、ケーブルマネージメントチェインを支える様子を示す立体模式図である。
【図１１】第二実施形態のケーブルマネージメントデバイスが２個の第二トレイを有し、第一トレイに対して取込み状態にある様子を示す模式図である。
【図１２】図１１のその内の一つの第二トレイが第一トレイに相対して引き出され延伸状態を呈し、ケーブルマネージメントチェインを支える様子を示す模式図である。
【図１３】第三実施形態のケーブルマネージメントデバイスの第一トレイがシャーシに取り付けられる様子を示す模式図である。
【図１４】第四実施形態のケーブルマネージメントデバイスのケーブルマネージメントチェインがスライドレールアセンブリの第二レールに接続される様子を示す模式図である。
【発明を実施するための形態】
【００２０】
（第一実施形態）
図１に示す通り、シャーシシステム２０は、一対のスライドレールアセンブリを有する。
例えば、一対のスライドレールアセンブリは、第一スライドレールアセンブリ２２、及び、第二スライドレールアセンブリ２４である。
搭載物２６は、シャーシ２８に取り付けられる。搭載物２６は、サーバー、パワーサプライ等を含む電子設備である。
シャーシ２８は、一対の第一柱３０ａと一対の第二柱３０ｂとを有する。
各スライドレールアセンブリ２２、２４は、第一レール３２を有する。
第一レール３２の２個の部分には、それぞれ第一ブラケット３４（例えば、前ブラケット）と第二ブラケット３６（例えば、後ブラケット）を配置し、シャーシ２８の第一柱３０ａと第二柱３０ｂとにそれぞれ取り付けられる。
【００２１】
図２に示す通り、各スライドレールアセンブリ２２、２４は、第二レール３８と第三レール４０とをさらに有する。
第二レール３８は、第一レール３２に相対して縦方向に移動する。第二レール３８には、搭載物２６が取り付けられる。
第三レール４０は、第一レール３２と第二レール３８との間に移動するように取り付けられ、第二レール３８の第一レール３２に相対した可動行程を延長する。
【００２２】
図２と図３に示す通り、シャーシシステム２０は、ケーブルマネージメントデバイス４２をさらに有する。
ここでは、ケーブルマネージメントデバイス４２は、搭載物２６の後方に位置する。
具体的には、ケーブルマネージメントデバイス４２は、第一トレイ４４、第二トレイ４６、及び、第一ケーブルマネージメントチェイン４８を有する。
好ましくは、第二ケーブルマネージメントチェイン５０、及び、パーティション５１を有する。
パーティション５１は、第一トレイ４４に設置される。
パーティション５１は、隔絶板で、第一トレイ４４を２個の区域に区画し、第一ケーブルマネージメントチェイン４８と第二ケーブルマネージメントチェイン５０とを隔てる。
【００２３】
第一トレイ４４は、固定の位置に取り付けられる。
例えば、第一トレイ４４は、第一レール３２に固定するように取り付けられる。
具体的には、第一トレイ４４は、一対のコネクティングパーツ５３により、第一レール３２の後端部位置に取り付けられる。
あるいは、第一トレイ４４は、第一レール３２に嵌合接続或いは他の方式により接続される。
【００２４】
第二トレイ４６は第一トレイ４４に対して伸縮可能なように接続される。
本実施においては、第一トレイ４４と第二トレイ４６との内の一つは、長孔５２（例えば、縦方向長孔）を有し、しかも取り付けパーツ５４を長孔５２の一部分に通し、これにより第二トレイ４６と第一トレイ４４とは相対して相互に移動し、取込み状態（図３参照）或いは延伸状態（図１０参照）を呈する。
本実施形態において、長孔５２は、第一境界５６ａと第二境界５６ｂとを有し、これにより第二トレイ４６と第一トレイ４４とは相対して相互に有限な範囲内で移動する。
しかし、第一トレイ４４と第二トレイ４６とは、相互に対応する構造、例えば長槽、及び、長槽において可動可能な突出物とすることもできる。
【００２５】
第一トレイ４４は、第一ケーブルマネージメントチェイン４８を支える。
具体的には、第一ケーブルマネージメントチェイン４８は、相互に可動可能に接続する複数のケーブルマネージメントユニット５８を有する。
ここでは、これらケーブルマネージメントユニット５８は、相対して相互に枢接され、しかも各ケーブルマネージメントユニット５８は、収容室６０を定義し、搭載物２６の線材を収納、或いは置くことができる。
さらに、第一ケーブルマネージメントチェイン４８は、第一チェインセクション６２と第二チェインセクション６４とを有する。
本実施形態において、第一チェインセクション６２と第二チェインセクション６４とは、２個の相対端部を有する。
第一チェインセクション６２は、第一トレイ４４に接続する。
例えば、第一チェインセクション６２は、第一フィッティングパーツ６６により、嵌合接続或いは係合接続等方式を用いて、取り外し可能なように第一トレイ４４に接続する。
一方、第二チェインセクション６４は、搭載物２６に接続する。
例えば、第二チェインセクション６４は、第一補助パーツ６８により、嵌合接続或いは係合接続等方式を用いて、取り外し可能なように搭載物２６に接続する。
【００２６】
第一トレイ４４は、第二ケーブルマネージメントチェイン５０を支える。
具体的には、第二ケーブルマネージメントチェイン５０は、複数のケーブルマネージメントユニット７０を有し、相互に可動可能なように接続する。
ここでは、これらケーブルマネージメントユニット７０は、相対して相互に枢接され、しかも各ケーブルマネージメントユニット７０は収容室７２を定義し、搭載物２６の線材を収納、或いは置くことができる。
さらに、第二ケーブルマネージメントチェイン５０は、第一チェインセクション７４と第二チェインセクション７６を有する。
本実施形態において、第一チェインセクション７４と第二チェインセクション７６は、２個の相対端部を例とする。
第一チェインセクション７４は、第一トレイ４４に接続する。
例えば、第一チェインセクション７４は、第二フィッティングパーツ７８により、嵌合接続或いは係合接続等方式を用いて、取り外し可能なように第一トレイ４４に接続する。
一方、第二チェインセクション７６は搭載物２６に接続する。
例えば、第二チェインセクション７６は、第二補助パーツ８０により、嵌合接続或いは係合接続等方式を用いて、取り外し可能なように搭載物２６に接続する。
【００２７】
図４に示す通り、第二補助パーツ８０と第一補助パーツ６８とはおおよそ相同の構造である。
具体的には、第二補助パーツ８０と第一補助パーツ６８とは、弾性部を有し、しかも弾性部は、係合フックなどの第一嵌着部材８２を有する。
一方、図５に示す通り、搭載物２６は、孔内の壁などの第二嵌着部材８４を有する。
第一嵌着部材８２と第二嵌着部材８４との係合（この部分は図６参照）により、第一ケーブルマネージメントチェイン４８の第二チェインセクション６４と第二ケーブルマネージメントチェイン５０の第二チェインセクション７６とは、それぞれ搭載物２６を接続する。
【００２８】
図７に示す通り、各スライドレールアセンブリ２２、２４の第一レール３２は、シャーシ２８に取り付けられ、しかも第一トレイ４４の両側は、第一レール３２に取り付けられる。
パーティション５１は、第一ケーブルマネージメントチェイン４８と第二ケーブルマネージメントチェイン５０との間に位置する。
さらに、第一ケーブルマネージメントチェイン４８の第一チェインセクション６２と第二ケーブルマネージメントチェイン５０の第一チェインセクション７４とは、それぞれ第一トレイ４４に接続する。
一方、第一ケーブルマネージメントチェイン４８の第二チェインセクション６４と第二ケーブルマネージメントチェイン５０の第二チェインセクション７６とは、搭載物２６に接続する。
【００２９】
各スライドレールアセンブリ２２、２４が取込み状態にある時、第二レール３８は、第一レール３２に相対して取込まれ、第一位置Ｐ１にあり、しかも搭載物２６の大部分は、シャーシ２８内に位置する。
一方、ケーブルマネージメントデバイス４２の第一ケーブルマネージメントチェイン４８と第二ケーブルマネージメントチェイン５０とは、それぞれ取込み状態などの第一状態にあり、Ｕ字に類似の形状を呈して配列する。
【００３０】
図７と図８とに示す通り、第二レール３８、または、第三レール４０の少なくとも一方が第一レール３２に相対して、第一位置Ｐ１から第一方向Ｄ１に向かい、例えば、延伸方向へと縦方向に移動すると、搭載物２６はそれに従い、第一方向Ｄ１に向かいシャーシ２８外へと移動する。
具体的には、第二レール３８が第一方向Ｄ１へと移動する過程において、第一ケーブルマネージメントチェイン４８の第二チェインセクション６４と第二ケーブルマネージメントチェイン５０の第二チェインセクション７６とは、第二レール３８の、第一レール３２に相対した第一位置Ｐ１から第一方向Ｄ１への移動に反応し、連動する。
これにより、第一ケーブルマネージメントチェイン４８の第二チェインセクション６４は、徐々に第一チェインセクション６２を離れ、しかも第二ケーブルマネージメントチェイン５０の第二チェインセクション７６もまた徐々に第一チェインセクション７４を離れる。
こうして、第一ケーブルマネージメントチェイン４８と第二ケーブルマネージメントチェイン５０とは徐々に、伸展状態などの第二状態を呈する。
【００３１】
図８と図９に示す通り、第二レール３８が第一レール３２に相対して継続し第一方向Ｄ１へ向かい第二位置Ｐ２まで移動し、各スライドレールアセンブリ２２、２４が完全延伸状態を呈すると、搭載物２６の大部分は、これに従い、第一方向Ｄ１へとシャーシ２８外に移動する。
第一ケーブルマネージメントチェイン４８の第二チェインセクション６４はさらに第一チェインセクション６２を離れ、しかも第二ケーブルマネージメントチェイン５０の第二チェインセクション７６はさらに、第一チェインセクション７４を離れる。
こうして、第一ケーブルマネージメントチェイン４８と第二ケーブルマネージメントチェイン５０とは、第一トレイ４４に相対して、完全伸展状態などの第三状態を呈する。
【００３２】
第二レール３８、または、第三レール４０の少なくとも一方が第一レール３２に相対して第二位置Ｐ２から、取込み方向（第一方向Ｄ１に反対の方向）などの第二方向に向かい、第一位置Ｐ１まで移動すると、第一ケーブルマネージメントチェイン４８と第二ケーブルマネージメントチェイン５０とはこれに従い、第三状態から第一状態に戻る（この部分は図７を参照されたい。簡略化するため、説明を省く）。
【００３３】
図１０に図３を合わせて示す通り、搭載物２６の線材に対して、メンテナンス作業などを行う際には、使用者は第二方向Ｄ２などの一方向に力を加える。
これにより、第二トレイ４６は第一トレイ４４に相対して、取込み状態から延伸状態へと移動し、しかも使用者は、第一フィッティングパーツ６６（或いは第二フィッティングパーツ７８）を第一トレイ４４から取り外す。
こうして、第一ケーブルマネージメントチェイン４８の第一チェインセクション６２は、第二チェインセクション６４に相対して、第二方向Ｄ２へと引き出される（或いは第二ケーブルマネージメントチェイン５０の第一チェインセクション７４は、第二チェインセクション７６に相対して、第二方向Ｄ２へと引き出される）。
第二トレイ４６の延伸状態下では、第一ケーブルマネージメントチェイン４８、または、第二ケーブルマネージメントチェイン５０の少なくとも一方を支えることができる。
これにより、使用者はケーブルマネージメントユニット５８（或いはケーブルマネージメントユニット７０）中に収容される線材に対して、メンテナンス作業を行うことができる。
【００３４】
（第二実施形態）
図１１に、本発明の第二実施形態を示す。
具体的には、上述の第一実施形態のケーブルマネージメントデバイス４２が第二トレイ４６を有するのとは異なり、第二実施形態のケーブルマネージメントデバイス２００は、２個の第二トレイ２０２、２０４を有し、それぞれ第一ケーブルマネージメントチェイン２０６と第二ケーブルマネージメントチェイン２０８に使用する。
具体的には、図１２に示す通り、使用者がその内の一つのケーブルマネージメントチェイン（例えば、第一ケーブルマネージメントチェイン２０６）だけをメンテナンスする必要がある時には、使用者は１個の第二トレイ２０２だけを引き出し、第一トレイ２１０に相対して延伸状態とし、これにより引き出された第二トレイ２０２は、第一ケーブルマネージメントチェイン２０６を支える。
こうして、限られた空間で、使用者は第一ケーブルマネージメントチェイン２０６に対してメンテナンス作業を行うことができる。
【００３５】
（第三実施形態）
図１３に、本発明の第三実施形態を示す。
具体的には、上述の第一実施形態の第一トレイ４４は、第一レール３２に取り付けられるが、第三実施形態と第一実施形態との差異は、おおよそ以下の通りである。
第一トレイ３００は、シャーシ３０２の柱体（例えば、第二柱３０４）に取り付けられる。
例えば、第一トレイ３００は、螺合接続、係合接続により、或いはフィッティングパーツ３０６により、柱体（例えば、第二柱３０４）に取り付けられる。
パーティション３０８は、第一トレイ３００を２個の区域に分け、これにより上述の第一ケーブルマネージメントチェインと第二ケーブルマネージメントチェインを置くことができる。
【００３６】
（第四実施形態）
図１４に、本発明の第四実施形態を示す。
具体的には、上述の第一実施形態の第一ケーブルマネージメントチェイン４８の第二チェインセクション６４（或いは第二ケーブルマネージメントチェイン５０の第二チェインセクション７６）は、搭載物２６に接続されるが、第四実施形態と第一実施形態との差異は、おおよそ以下の通りである。
第一ケーブルマネージメントチェイン４００（或いは第二ケーブルマネージメントチェイン）の第二チェインセクション４０２は、第二レール４０４に接続される。
この配置に基づき、第一ケーブルマネージメントチェイン４００（或いは第二ケーブルマネージメントチェイン）の第二チェインセクション４０２は同様に、第二レール４０４の第一レール４０６に相対した移動に対応し連動する。
こうして、第一ケーブルマネージメントチェイン４００（或いは第二ケーブルマネージメントチェイン）は、第一状態から連動して第二状態を呈する。
【００３７】
前述した本発明の実施形態は本発明を限定するものではなく、よって、本発明により保護される範囲は特許請求の範囲を基準とする。
【符号の説明】
【００３８】
２０  シャーシシステム
２２  第一スライドレールアセンブリ
２４  第二スライドレールアセンブリ
２６  搭載物
２８、３０２  シャーシ
３０ａ  第一柱
３０ｂ、３０４  第二柱
３２、４０６  第一レール
３４  第一ブラケット
３６  第二ブラケット
３８、４０４  第二レール
４０  第三レール
４２、２００  ケーブルマネージメントデバイス
４４、２１０、３００  第一トレイ
４６、２０２、２０４  第二トレイ
４８、２０６、４００  第一ケーブルマネージメントチェイン
５０、２０８  第二ケーブルマネージメントチェイン
３０６  フィッティングパーツ
５１、３０８  パーティション
５２  長孔
５３  コネクティングパーツ
５４  取り付けパーツ
５６ａ  第一境界
５６ｂ  第二境界
５８、７０  ケーブルマネージメントユニット
６０、７２  収容室
６２、７４  第一チェインセクション
６４、７６、４０２  第二チェインセクション
６６  第一フィッティングパーツ
６８  第一補助パーツ
７８  第二フィッティングパーツ
８０  第二補助パーツ
８２  第一嵌着部材
８４  第二嵌着部材
Ｄ１  第一方向
Ｄ２  第二方向
Ｐ１  第一位置
Ｐ２  第二位置
【図１】
2018038246.tif 000003
【図２】
2018038246.tif 000004
【図３】
2018038246.tif 000005
【図４】
2018038246.tif 000006
【図５】
2018038246.tif 000007
【図６】
2018038246.tif 000008
【図７】
2018038246.tif 000009
【図８】
2018038246.tif 000010
【図９】
2018038246.tif 000011
【図１０】
2018038246.tif 000012
【図１１】
2018038246.tif 000013
【図１２】
2018038246.tif 000014
【図１３】
2018038246.tif 000015
【図１４】
2018038246.tif 000016